(57)【特許請求の範囲】
【請求項１】
陸地の水際の海側に設置され、土圧あるいは土圧と上戴荷重を受ける少なくとも２列に並列したレグと土留壁からなり、前記土留壁は前記レグと一体化されかつ土圧をフープテンションとして支持するようにしたジャケット構造物であって、土圧を受ける側の列の前記レグにはそれぞれ１つまたは２つの嵌合用仕口が係着され、前記土留壁は隣接するレグの該嵌合用仕口間に複数枚の直線型鋼矢板からなる鋼矢板を嵌合結合によって一重に連結し、海側にふくらんだ凹の多角形状で土圧を受けるようにしたことを特徴とするジャケット構造物。
【発明の詳細な説明】
【０００１】
【発明の属する技術分野】
本発明は、土圧を受ける岸壁、護岸等に適用される構造物であるジャケット構造物に関する。
【０００２】
【従来の技術】
岸壁、護岸等として従来から用いられているジャケット構造物について、図３、図４に基づき説明する。
図３は、一列に打設した鋼矢板７を用いて、その壁状構造を利用して土圧を受ける構造としたジャケット構造物である。
【０００３】
図３において、ジャケット構造物１は、岸壁に並行する方向（これを法線方向とよぶ。）に多列配設されたレグ２とそのレグ２間を連結し全体の剛性を保持するための各ブレース（水平ブレース４、９と斜めブレース５）で構成される。ここで、各ブレースの配置および構造は、図３の例示をはじめとして、構造物の必要強度を勘案して適宜決定される。また、図３の例では、レグ２は、土圧Ｐを直接受ける鋼矢板７を保持する側の列と、その背後の列の２列としている。
【０００４】
ジャケット構造物１は、全体をいくつかのユニットに分割して工場で製作される。そして、据付現場まで搬送した後、フローティングクレーン（起重機船）等を用いて所定の位置に据え付けが行われる。次に、鋼管杭３をレグ２に内挿して打設し、海底面11に固定する。ここで、場合によっては、あらかじめ海底面11に打設した鋼管杭３にレグ２を外挿し、ジャケット構造物１全体をかぶせるようにして設置することもある。なお、レグ２と鋼管杭３の間にはグラウト等が埋め込まれ、両者が固着される。
【０００５】
ジャケット構造物１の固設が完了した後、レグ２の土圧Ｐを受ける側の列に沿って土留壁の設置が行われる。図３では、土留壁が、鋼矢板７を嵌合して打設しすることで形成されている。最後に、土留壁（鋼矢板７）までの埋め立てを行い、また、必要に応じてジャケット構造物１の上に床版20を載設し、岸壁工事、護岸工事が完了する。
【０００６】
次に、図４には、土留壁として、図３の鋼矢板に変えて、プレキャストＲＣ版15を適用した例を示している。ここで、ＲＣとは鉄筋コンクリート（Reinforced Concrete ）の略称である。プレキャストＲＣ版15は、プレキャストＲＣ版嵌合仕口16で嵌合されており、そのプレキャストＲＣ版嵌合仕口16部をレグ２で受ける構造として土留壁が形成されている。
【０００７】
すなわち、ジャケット構造物は、上載荷重、および、土留壁からの土圧を、鋼管杭を介して地盤に伝達する機能を有する構造物である。
【０００８】
【発明が解決しようとする課題】
しかしながら、上記、従来のジャケット構造物では、ジャケット構造物の土圧Ｐを受ける側のレグ（陸側レグ）の前面に土留壁である鋼矢板もしくはプレキャストＲＣ版が独立して設けられている。そのため、構造物としては、土留壁と、その土留壁を支えるジャケット構造物という二重構造となって不経済であるという問題があった。
【０００９】
また、土留壁である鋼矢板もしくはプレキャストＲＣ版は、土圧を壁構造で受けるために、断面の大きく曲げ応力に強い材料を選択する必要があり、部材重量から見ても不経済であった。
本発明は、上記不経済を解消し、経済的なジャケット構造物を適用した岸壁、護岸を実現することを目的とする。
【００１０】
【課題を解決するための手段】
本発明は、土留壁とその土留壁を支えるジャケット構造物を一体化し、土留壁の土圧に対する耐力向上を実現することで、上記課題を解決したのである。
すなわち、本発明は、陸地の水際の海側に設置され、土圧あるいは土圧と上戴荷重を受ける少なくとも２列に並列したレグと土留壁からなり、前記土留壁は前記レグと一体化されかつ土圧をフープテンションとして支持するようにしたジャケット構造物であって、土圧を受ける側の列の前記レグにはそれぞれ１つまたは２つの嵌合用仕口が係着され、前記土留壁は隣接するレグの該嵌合用仕口間に複数枚の直線型鋼矢板からなる鋼矢板を嵌合結合によって一重に連結し、海側にふくらんだ凹の多角形状で土圧を受けるようにしたことを特徴とするジャケット構造物によって上記課題を解決した。
【００１１】
なお、前記鋼矢板を、鋼管矢板としても同等の効果を奏するものであることは言うまでもない。
【００１２】
【発明の実施の形態】
図１に基づき、本発明のジャケット構造物を説明する。ただし、既に図３、図４において説明した従来のジャケット構造物と同一部材には同一番号を付しており、ここでは、重複した説明を省略する。
本発明のジャケット構造物では、工場製作段階であらかじめ、ジャケットの土圧を受ける側のレグに鋼矢板７を嵌合するための嵌合用仕口８を設けておくことを特徴とする。更に、その嵌合用仕口８を始点および終点として連結した複数の鋼矢板７を、土圧を凹状に受けるように配設することを特徴とする。なお、鋼矢板７の配列形状は凹の円弧状とすることを好適とするが、凹の多角形状であっても良く、海側にふくらんだ凹形状とすれば良い。
【００１３】
鋼矢板７は、バイブロハンマー等を用いて１枚毎に打設しても良いが、隣接するレグ間に、所要枚数の鋼矢板をあらかじめ凹状に嵌合させておき、一度に打設するようにしても良い。こうすることで、施工の効率化が図れ、鋼矢板の打設精度も向上できる。
このように鋼矢板７で凹状に土圧Ｐを受けることで、土圧Ｐを鋼矢板セルのフープテンションとして支持することを可能としている。その結果、鋼矢板を曲げ部材としてではなく、膜構造の引っ張り部材として用いることが可能となり、従来の壁構造を形成する鋼矢板に比べて断面を小さくすることが可能となって、土圧Ｐに対する耐力を格段に向上できる。
【００１４】
ここで、従来のジャケット構造物では、レグの側面に法線平行方向の水平ブレースを設置することが可能であるが、本発明のジャケット構造物では、土圧を受ける側のレグ２に嵌合用仕口８を係着するため、これらの法線平行方向のブレース９と鋼矢板７とが干渉する場合がある。そのときは、レグ２にではなく、法線直角方向の水平ブレース４や斜めブレース５に、法線平行方向の水平ブレース９を取り付ける構造としてもよい。なお、図１の例では、法線平行方向の斜めブレースを設置していないが、必要に応じて設けられることは言うまでもない。
【００１６】
図１において、護岸構造の場合には床版20は不要である。そのため、図２に示すような、各種ブレース材を多用した護岸構造用のジャケット構造物を適用することも可能である。そして、このような構造物とすることで、土圧Ｐに対する耐力を更に向上させることが可能となる。
また、図２に示す護岸構造では、13の２点鎖線で示す護岸埋立部を設け、ロック材等でジャケット構造物１を完全に埋設することもできる。
【００１７】
なお、図２に記載のジャケット構造物の平面図は、実質的に図１（ａ）に記載の平面図と同等となるため、その記載を省略した。
【００１８】
【発明の効果】
本発明によって、これまでの鋼製ジャケットのような２重構造を解消することができ、ジャケット構造物を用いた岸壁や護岸を経済的に築造することが可能となった。また、土圧を受ける鋼矢板をレグ間に凹状に形成するようにしたことで、土圧に対する耐力を大幅に向上させることができるため、従来よりも断面の小さい鋼矢板を使用することができ、鋼材重量も経済的に築造できる。
【図面の簡単な説明】
【図１】本発明のジャケット構造物の平面図（ａ）と、Ａ−Ａ視断面図（ｂ）である。
【図２】本発明のジャケット構造物の別の実施形態を示す断面図である。
【図３】鋼矢板を適用した従来のジャケット構造物の平面図（ａ）と、Ａ−Ａ視断面図（ｂ）である。
【図４】プレキャストＲＣ版を適用した従来のジャケット構造物の平面図（ａ）と、Ａ−Ａ視断面図（ｂ）である。
【符号の説明】
１    ジャケット構造物
２    レグ
３    鋼管杭
４    （法線直角方向の）水平ブレース
５    （法線直角方向の）斜めブレース
６    上部Ｈ型鋼（梁）
７    鋼矢板
８    嵌合用仕口
９    （法線平行方向の）水平ブレース
10    地表面
11    水（海）底面
12    水（海）面
13    護岸埋立部
15    プレキャストＲＣ版
16    プレキャストＲＣ版嵌合仕口
20    床版
Ｐ    土圧
【図１】
0003799939.tif 000002
【図２】
0003799939.tif 000003
【図３】
0003799939.tif 000004
【図４】
0003799939.tif 000005